(57)【要約】【課題】天板に設けられた規制板によって排紙位置が規制される紙受装置において、印刷動作中等の紙受装置が作動しているときに、天板が不用意に開かれないようにする天板ロック機構を備えた紙受装置を提供する。【解決手段】排紙方向９０と直交する用紙幅方向に関して、排紙１２を位置決めする左右の側面規制板２１と、排紙方向前方に設けられて排紙１２を受け止める前面止め板２３とを有して開閉自在の天板２０と、排出用紙１２が積載されて昇降可能な紙受台５０と、を備える紙受装置１０であって、天板２０が開かないように天板２０をロックするロック機構を含み、該ロック機構は、側面規制板２１及び前面止め板２３が紙受台上の排紙１２に当接する当接動作中に作動する。【選択図】  図４
2004210435.tif 000002
【特許請求の範囲】
【請求項１】
排紙方向と直交する用紙幅方向に関して、排紙を位置決めする左右の側面規制板（２１）と、排紙方向前方に設けられて排紙を受け止める前面規制板（２３）とを有して開閉自在の天板（２０）と、
排出用紙（１２）が積載されて昇降可能な紙受台（５０）と、
を備える紙受装置（１０）であって、
天板（２０）が開かないように天板（２０）をロックするロック機構を含み、該ロック機構は、側面規制板（２１）及び前面規制板（２３）が紙受台上の積載用紙に当接する当接動作中に作動することを特徴とする紙受装置。
【請求項２】
上記ロック機構は、
天板（２０）の側面に設けられて略水平方向に延在する長穴状の案内部材（３２）と、
天板（２０）を紙受装置（１０）に対して回動自在に支持する支持部材（３１）と、
支持部材（３１）の天板側に設けられて案内部材（３２）に沿って摺動する摺動部材（３４）と、
摺動部材（３４）が動かないようにロックするロック部材と、
摺動部材（３４）をロック部材でロックして天板（２０）を閉止状態にするか、又は摺動部材（３４）を案内部材（３２）に沿って摺動させて天板（２０）を開放状態するかを切換える切換え手段とを備えることを特徴とする、請求項１記載の紙受装置。
【請求項３】
上記案内部材（２０）において、支持部材（３１）を回動自在に支持する支持部材回動軸（３３）の反対側には、ロック部材としての係合凹部（３２ａ）が設けられており、
天板閉止状態では、摺動部材（３４）が係合凹部（３２ａ）に係合し、
天板開放状態では、摺動部材（３４）が案内部材（３２）に沿って摺動することを特徴とする、請求項２記載の紙受装置。
【請求項４】
上記当接動作は、印刷動作であることを特徴とする、請求項１記載の紙受装置。
【請求項５】
上記当接動作は、印刷動作終了後に、規制板（２１，２３）が所定の退避位置まで退避する退避動作のときであることを特徴とする、請求項１記載の紙受装置。
【請求項６】
上記当接動作は、規制板（２１，２３）が用紙当接位置又は用紙当接位置より内側の用紙湾曲位置に位置するときであることを特徴とする、請求項１記載の紙受装置。
【請求項７】
紙受台（５０）が上昇しているときには、ロック機構が作動しないことを特徴とする、請求項１記載の紙受装置。
【請求項８】
ロック機構が正常に作動していることを検出するロック検出手段（６２）をさらに備えることを特徴とする、請求項１記載の紙受装置。
【請求項９】
ロック機構が作動すべきときにロック検出手段（６２）からのロック検出信号が検出されない場合には、警告表示を行うことを特徴とする、請求項８記載の紙受装置。
【請求項１０】
ロック機構が作動しているか否かを表示するロック状態表示手段をさらに備えることを特徴とする、請求項１記載の紙受装置。
【請求項１１】
請求項１〜１０のいずれか記載の紙受装置（１０）を含むことを特徴とする画像記録機器。
【発明の詳細な説明】
【０００１】
【発明の属する技術分野】
本発明は、紙受装置の天板が使用者によって不用意に開かれないようにする天板ロック機構を備えた紙受装置に関する。本発明は、詳細には、天板に設けられた規制板によって排紙位置が規制される紙受装置において、印刷動作中等の紙受装置が作動しているときに、天板が不用意に開かれないようにする天板ロック機構を備えた紙受装置に関する。また、当該紙受装置を有する画像記録機器に関する。
【０００２】
【従来の技術】
孔版印刷機、レーザープリンタ、複写機等の画像記録機器には、排出された用紙を受け止めて紙受台上に排紙を積載する紙受装置が組み込まれている。紙受装置には、規制板が天板に設けられ、その規制板によって排紙位置を規制する規制板天板設置タイプのものがある。
【０００３】
規制板天板設置タイプの紙受装置において、天板が開放されたか否かを検出する天板開放検出手段が配設されたものを本願出願人は既に出願している（例えば、特許文献１参照。）。
【０００４】
特許文献１に開示された紙受装置では、天板開放検出手段により天板が開放されていることが検出されるものの、天板がロックされて開放不可となるような構造にはなっていない。つまり、印刷動作等が行われている間に、使用者が天板を物理的に開くことは可能である。印刷動作中に天板が誤って開かれてしまうと、以下のような問題がある。
【０００５】
すなわち、印刷動作中に天板が開かれてしまうと、排出された用紙が排紙方向前面に設けられた前面規制板に突き当たらないために、排出された用紙は、前面規制板を行き過ぎて遠くに飛んで行ってしまい、紙受台上に回収されないという事態になる。
【０００６】
規制板天板設置タイプの紙受装置においては、一般に、天板が排紙方向の後方側で軸支されて排紙方向前方側から開かれる横開き構造になっている。このような構成において、天板を開いたときに前面規制板が積載用紙の山の前面に当たってしまう場合があるために、積載用紙の山が崩れてしまう。
【０００７】
また、印刷終了後、印刷済みの用紙が紙受台上に積載された状態で、使用者がマニュアル操作で規制板の位置を不用意に動かしてしまう場合がある。このとき、規制板が積載用紙端面から離間した退避位置から積載用紙端面に当接する用紙当接位置あるいは用紙当接位置より内側の用紙湾曲位置に動かされる場合がある。規制板が用紙当接位置又は用紙湾曲位置にあるならば、紙受台上に積載された用紙は、規制板に当接しているか又は湾曲した状態にある。この状態で、天板が誤って開かれると、規制板が積載用紙の山の側端面を擦るか積載用紙の山を持ち上げるために、積載用紙の山が崩れてしまう。
【０００８】
ところで、ロック機構を備えた画像形成装置は開示されている（例えば、特許文献２及び３参照。）。しかしながら、いずれの場合も、プラテンカバーやドアをロックするためのロック機構に関するものであり、天板をロックする天板ロック機構ではない。また、それらのロック機構も、電磁石や形状記憶合金を利用したものである。
【０００９】
【特許文献１】
特開平１１−２６８８５９号公報
【特許文献２】
特開昭６０−４８０３９号公報
【特許文献３】
特開２００２−６７４６１号公報
【００１０】
【発明が解決しようとする課題】
したがって、本発明の解決すべき技術的課題は、天板に設けられた規制板によって排紙位置が規制される紙受装置において、印刷動作中等の紙受装置が作動しているときに、天板が不用意に開かれないようにする天板ロック機構を備えた紙受装置を提供することである。
【００１１】
【課題を解決するための手段及び作用・効果】
上記技術的課題を解決するために、本発明に係る紙受装置は、排紙方向と直交する用紙幅方向に関して、排紙を位置決めする左右の側面規制板と、排紙方向前方に設けられて排紙を受け止める前面規制板とを有して開閉自在の天板と、排出用紙が積載されて昇降可能な紙受台と、を備える紙受装置であって、天板が開かないように天板をロックするロック機構を含み、該ロック機構は、側面規制板及び前面規制板が紙受台上の積載用紙に当接する当接動作中に作動することを特徴としている。
【００１２】
上記構成によれば、側面規制板及び前面規制板を有する天板は、開閉自在であるが、規制板が紙受台上の積載用紙に当接しているときには、天板をロックするロック機構が働くので、天板が開くことがない。したがって、使用者が誤って天板を開放しようとしても、天板が開かないので、規制板に当接している紙受台上の積載用紙の山が崩れることない。また、排出された用紙が前面規制板を行き過ぎて遠くに飛んで行ってしまって、紙受台上に回収されないということも起こらない。
【００１３】
ロック機構は、具体的には、天板の側面に設けられて略水平方向に延在する長穴状の案内部材と、天板を紙受装置に対して回動自在に支持する支持部材と、支持部材の天板側に設けられて案内部材に沿って摺動する摺動部材と、摺動部材が動かないようにロックするロック部材と、摺動部材をロック部材でロックして天板を閉止状態にするか、又は摺動部材を案内部材に沿って摺動させて天板を開放状態するかを切換える切換え手段とを備える。
【００１４】
ロック部材としては様々な構成が使用可能であるが、好ましくは、案内部材において、支持部材を回動自在に支持する支持部材回動軸の反対側には、ロック部材としての係合凹部が設けられており、天板閉止状態では、摺動部材が係合凹部に係合し、天板開放状態では、摺動部材が案内部材に沿って摺動する。
【００１５】
上記構成によれば、使用者が誤って天板を開放しようすると摺動部材が案内部材に沿って摺動されることになるが、摺動部材が係合凹部に係合しているために摺動部材が動かないようになっている。すなわち、係合凹部はロック部材として機能している。天板を動かそうとする力が係合凹部で受け止められるので、切換え手段に過大な力が作用して切換え手段が破壊されるということが防止される。
【００１６】
ロック機構が作動するときの当接動作というのは、具体的には印刷動作である。印刷動作中は、排出された用紙は側面規制板に沿って飛行して前面規制板で受け止められるので、このときに天板が誤って開放されてしまうと、排出された用紙は、所定積載位置からずれた位置に積載されたり、床の上に放出されたりする。したがって、印刷動作中はロック機構が作動することが好ましい。
【００１７】
また、ロック機構が作動するときの当接動作というのは、具体的には、印刷動作終了後に、規制板が所定の退避位置まで退避する退避動作のときである。印刷が終了した直後は、積載用紙の側端面は規制板で当接された状態にある。そのあと、規制板は、所定の退避位置まで退避する退避動作を行う。規制板が積載用紙から十分に離れていない位置までしか退避していないときに、天板を開放すると、規制板が紙受台上の積載用紙の山に擦って積載用紙の山を崩してしまうことがある。したがって、印刷動作終了後に、規制板が所定の退避位置まで退避する退避動作が完了するまで、ロック機構が作動することが好ましい。
【００１８】
さらにまた、当接動作というのは、規制板が用紙当接位置又は用紙当接位置より内側の用紙湾曲位置に位置するときである。
【００１９】
印刷終了後、印刷済みの用紙が紙受台上に積載された状態で、使用者がマニュアル操作で規制板の位置を不用意に動かしてしまう場合がある。このとき、規制板が積載用紙端面から離間した退避位置から積載用紙端面に当接する用紙当接位置あるいは用紙当接位置より内側の用紙湾曲位置に動かされる場合がある。紙受台上に積載された用紙は、規制板に当接しているか又は規制板で湾曲した状態にある。この状態で、天板が誤って開かれると、規制板が積載用紙の山の側端面を擦るか積載用紙の山を持ち上げるために、積載用紙の山が崩れてしまう。したがって、規制板が用紙当接位置又は用紙当接位置より内側の用紙湾曲位置に位置するときに、ロック機構が作動することが好ましい。
【００２０】
天板がロック状態であり且つ紙受台が上昇しているときに、使用者が誤って天板と紙受台との間に手を突っ込んでしまうと、その間に手が挟まれて怪我をしてしまう。したがって、紙受台が上昇しているときには、安全のために、ロック機構が作動しないようにして、天板が開放可能な状態にしておくことが好ましい。
【００２１】
好ましくは、ロック機構が作動していることを検出するロック検出手段をさらに備える。
【００２２】
上記構成によれば、ロック検出手段によって、ロック機構が作動しているか否かが分かる。ロック機構が何らかの不具合で作動していない場合には、ロック検出手段からの信号を利用して、紙受装置や当該紙受装置を有する画像記録機器を安全な状態に制御することができる。例えば、紙受台を下方の安全な待機位置に移動させたり、印刷動作を緊急停止させたりすることができる。
【００２３】
ロック機構が作動すべきときにロック検出手段からのロック検出信号が検出されない場合には、警告表示を行うことが好ましい。ロック機構が作動すべきときにロック検出手段からのロック検出信号が検出されないということは、紙受装置が明らかに何らかの異常状態になっていることであり、安全が脅かされた状態になっていることを意味する。このような異常状態から脱すために、ランプの点滅や警報音の発声や操作パネル上での異常状態表示等により、使用者に異常状態を知覚させて、サービスマンにこの異常状態を通報して、元の正常な状態に修復させるようにする。
【００２４】
ロック機構が作動しているか否かを表示するロック状態表示手段をさらに備えることが好ましい。ロック機構は、一般に天板で隠されているために、天板がロックされているか否かについては、外見上から判別しにくい。したがって、ロック機構が作動しているか否かを表示する表示手段を設けることによって、天板のロックの有無が視覚的に分かる。画像記録機器本体の操作パネルの中にロック状態表示部を設けたり、ロック状態表示部やロック状態表示ランプ等を紙受装置にあるいはその近傍に設けることができる。
【００２５】
なお、このような紙受装置は、用紙を順次搬送する必要のある機器、例えば、孔版印刷機、レーザープリンタ、複写機等の画像記録機器に適用される。
【００２６】
【発明の実施の形態】
以下に、本発明に係る紙受装置を備える孔版印刷機の第一の実施形態を、図１〜８を参照しながら詳細に説明する。なお、本発明に係る紙受装置は、孔版印刷機はもとより、レーザープリンタ、複写機等の、用紙の順次搬送を行う画像記録機器に適用可能である。
【００２７】
図１は孔版印刷機の全体構成図、図２は紙受装置を説明する図、図３は紙受装置に関するブロック図、図４はロック機構がロック状態にあることを示す図、図５はロック状態にあるときの要部断面図、図６はロック機構が非ロック状態にあることを示す図、図７はロック状態にあるロック機構を詳細に説明する図、図８は非ロック状態にあるロック機構を詳細に説明する図である。
【００２８】
図１によれば、孔版印刷機１は、用紙搬送装置４の給紙台３０から供給された用紙１２が、給紙装置４０によって印刷装置６に運ばれて、製版部２で製版された孔版原紙の装着された版胴２２を有する印刷装置６に通されることによって印刷され、印刷済みの用紙１２が排紙装置８で搬送されながら紙受装置１０に排出されるように構成されている。孔版印刷機１の全体構成は、従来のものと同様であるので、以下に、従来のものとの相違点を中心に説明する。
【００２９】
紙受装置１０は、大略、印刷機本体の排紙部の下方から排出された用紙１２が載置されて大略排紙方向９０（大略水平方向）に沿って延在する紙受台５０と、紙受台５０の上方に配置されて排出された用紙１２を上方から覆う天板２０と、紙受台５０の昇降装置や天板２０を支持するフレーム２７と、を備えている。
【００３０】
次に、図２を参照しながら、紙受装置１０について詳細に説明する。
【００３１】
紙受台５０は、紙受台駆動モータ４４を駆動源とする昇降装置によって電動で上下に移動する。すなわち、紙受台５０は、実線で示した下限位置と鎖線で示した上限位置との間を後述する昇降装置によって昇降できるようになっている。
【００３２】
昇降装置は、紙受台駆動モータ４４と、チェーン４６と、スプロケット４５，４７と、バネ４８とを備える。チェーン４６は、一端が紙受台５０に固定され、紙受台５０から上方に延在し、紙受台５０の上限位置より上方に設けられた案内スプロケット４７に噛み合って下方に延在し、下方に設けられた減速ギヤを介して紙受台駆動モータ４４によって回転される駆動スプロケット４５に噛み合い、他端が装置本体に固定されたバネ４８によって常に引っ張られるようになっている。駆動スプロケット４５が回転すると、チェーン４６が上又は下に移動し、紙受台５０が昇降するようになっている。
【００３３】
昇降装置は、紙受台５０の下限位置を検出する下限スイッチ４９と、紙受台５０の上限位置を検出する上限スイッチ４１と、紙受台５０の上に積載された用紙１２の高さを検出するレベルセンサ４３を備える。
【００３４】
印刷が済んで排出された用紙１２は、後述する側面ガイド板２１，前面止め板２３によって位置決めされて、紙受台５０の上に揃えて重ねられる。紙受台５０の上にある程度の高さまで用紙１２が積載されると、紙受台５０が下降する。印刷機本体から排出された用紙１２の落下距離は大略一定に保たれる。このような構成は、用紙１２を大量に印刷する場合に特に好適である。
【００３５】
略水平方向に延在する天板２０は、排紙方向９０と直交する用紙幅方向に関して、排出された用紙１２を位置決めする左右の側面ガイド板２１と、排紙方向前方に設けられて排出された用紙１２を受け止める前面止め板２３とを有する。側面ガイド板２１及び前面止め板２３は、それぞれ、紙受台５０に向けて、すなわち下向きに延在している。側面ガイド板２１及び前面止め板２３は、それぞれ、不図示の案内溝に沿って摺動可能に支持されており、公知の規制板駆動機構（不図示）によって駆動される。
【００３６】
左右一対の側面ガイド板２１は、所定の用紙位置に位置決めされて、用紙１２の側面に当接して用紙１２の幅方向を規制する。左右一対の側面ガイド板２１は、排出された用紙１２が紙受台５０の上に積み重ねられるときに、用紙幅方向に往復運動することで用紙１２の側面に当接して用紙幅方向に関して用紙１２を揃えて、いわゆるジョガー運動を行う。したがって、積載された用紙１２の幅方向側端面は、側面ガイド板２１によって、位置決めされ且つきれいに揃えられる。
【００３７】
同様に、前面止め板２３は、所定の用紙位置に位置決めされて、用紙１２の前面に当接して用紙１２の排紙方向を規制する。それとともに、前面止め板２３は、排紙方向に往復運動することで用紙１２の前面に当接して排紙方向に関して用紙１２を揃えて、いわゆるジョガー運動を行う。したがって、積載された用紙１２の排紙方向前端面は、前面止め板２３によって、位置決めされ且つきれいに揃えられる。
【００３８】
天板２０は、紙受装置１０のフレーム２７に対して、天板回動軸２６を中心に回動自在に固定されている。すなわち、天板２０は、図２に示すように、実線で示した閉止位置と二点鎖線で示した開放位置との間を自在に回動できるように構成されている。閉止位置又は開放位置のいずれにあるかは、天板開閉検出センサ４２によって検出される。天板２０とフレーム２７との間は、支持手段としての支持アーム３１によって、掛け渡されている。支持アーム３１の下端部は、フレーム２７に対して、アーム回動軸３３を中心に回動するように軸支されている。支持アーム３１の上端部には、摺動部材３４が取り付けられている。ピン形状をした摺動部材３４は、天板２０の側面に設けられた案内手段としての長穴３２に沿って摺動するように構成されている。長穴３２は、略水平方向に延在する。したがって、アーム回動軸３３で軸支された支持アーム３１の摺動部材３４は、天板２０の開閉に合わせて、長穴３２に沿ったスライド運動を行う。
【００３９】
ところで、図４〜６に示すように、長穴３２には、排紙方向前方（すなわちアーム回動軸３３の反対側）の端部において、ロック部材としての係合凹部３２ａが形成されている。図４〜６に示した係合凹部３２ａは、下向きに凹むように切り欠かれているが、上向きに凹んでいてもよい。図４及び５に示すように、天板２０が閉止位置にあるときには、摺動部材３４が係合凹部３２ａに嵌合する位置に存する。摺動部材３４が係合凹部３２ａに嵌合した状態では、摺動部材３４が長穴３２に沿ってスライド運動を行うことができないので、天板２０がロックされた状態となっている。一方、図６に示すように、天板２０が開放位置にあるときには、摺動部材３４が長穴３２に沿って摺動する位置に存する。
【００４０】
次に、図７及び８を参照しながら、摺動部材３４を係合凹部３２ａでロックして天板２０を閉止状態にするか、又は摺動部材３４を長穴３２に沿って摺動させて天板２０を開放状態するかを切換える方法について説明する。
【００４１】
天板２０のロック状態を切換えるための切換え手段は、略「く」の字状であって関節軸を中心に自在に関節屈折運動するリンク部材３８と、リンク部材３８を回動自在に軸支するリンク部材回動軸３９と、リンク部材３８の一端を左右に駆動するソレノイド５６と、から大略構成される。リンク部材３８は上リンク部と下リンク部とを有し、上リンク部の一端は、ソレノイド５６の駆動部材３６に連結されている。下リンク部はリンク部材回動軸３９で軸支されている。下リンク部には引張バネ３５が取り付けられており、下リンク部が上向きに付勢されている。下リンク部の上縁が摺動部材３４に当接している。また、下リンク部の下端の遮光部３７は、ロック検出センサとしてのフォトセンサ６２を遮るように構成されている。
【００４２】
図７は、天板２０が閉止状態にあるときのものであり、摺動部材３４が係合凹部３２ａに嵌合しており、天板２０がロック状態にあることを示している。
【００４３】
図７において、ソレノイド５６の駆動部材３６は右側に引っ込んでおり（電磁吸着状態）、リンク部材回動軸３９で軸支された下リンク部の下端側が押し下げられている。天板２０が閉止状態にあるときは、摺動部材３４は、長穴３２の最も左側（すなわち係合凹部３２ａの直上）に位置し、フリーな状態となっている。このような摺動部材３４は、自重で係合凹部３２ａに落ち込んで、係合凹部３２ａに嵌合する。使用者が誤って天板２０を開けようとしても、摺動部材３４が係合凹部３２ａに嵌合して動くことのできない状態であるので、摺動部材３４が長穴３２に沿ってスライド運動することはできない。したがって、天板２０はロック状態にある。使用者が天板２０を開けようとする力は、係合凹部３２ａの右側面で受け止められるので、その力がソレノイド５６に負荷されてソレノイド５６が破壊されることはない。天板２０がロックされた状態では、フォトセンサ６２が遮光部３７で遮光されて、ロック検出信号が発せられる。また、引張バネ３５は引き伸ばされている。
【００４４】
図８は、天板２０が開放状態にあるときのものであり、摺動部材３４が係合凹部３２ａに対して嵌合しておらず、天板２０が非ロック状態にあることを示している。
【００４５】
図８において、ソレノイド５６の駆動部材３６は左側に突出しており（非電磁吸着状態）、リンク部材回動軸３９で軸支された下リンク部の下端側が、引張バネ３５の上向きの付勢力で引き上げられている。下リンク部の上方への移動に伴って、係合凹部３２ａに嵌合していた摺動部材３４が持ち上げられる。摺動部材３４が上向きに移動すると、長穴３２の最も左側（すなわち係合凹部３２ａの直上）に位置する。使用者が天板２０を開けようとすると、摺動部材３４を長穴３２に沿ってスライド運動させることができる。したがって、天板２０は非ロック状態にある。天板２０がロックされていない状態では、フォトセンサ６２が遮光部３７で遮光されていないので、非ロック検出信号が発せられる。
【００４６】
上述した昇降装置のモータ５６や各種センサ４１，４３，４９及びロック機構のソレノイド５６やロック検出センサ６２は、図３に示すように、Ｉ／Ｏポート７３を介してＣＰＵ７２に接続されて、ＣＰＵ７２によって制御されるようになっている。ＣＰＵ７２には、ＲＯＭ７４、ＲＡＭ７５、ＥＰＲＯＭ７６、操作パネル７０のスイッチ類、印刷機本体の機構部も接続されている。
【００４７】
ＣＰＵ７２から発せられた、ソレノイド５６の動きを制御するソレノイド制御信号により、ソレノイド５６の駆動部材３６を右側又は左側に動かすことによって、ロック機構をロック状態又は非ロック状態に切換えることができる。
【００４８】
このように、ロック機構は、天板２０の側面に設けられて略水平方向に延在する長穴３２と、天板２０を紙受装置１０に対して回動自在に支持する支持アーム３１と、支持アーム３１の天板側に設けられて長穴３２に沿って摺動する摺動部材３４と、摺動部材３４が動かないようにロックするロック部材と、摺動部材３４をロック部材でロックして天板２０を閉止状態にするか、又は摺動部材３４を長穴３２に沿って摺動させて天板２０を開放状態するかを切換える切換え手段とを備える。
【００４９】
上記ロック機構が働いて天板２０をロックさせるのは、例えば、印刷動作中のとき、印刷動作終了後に、側面ガイド板２１，前面止め板２３が所定の退避位置まで退避する退避動作のとき、あるいは、側面ガイド板２１，前面止め板２３が用紙当接位置又は用紙当接位置より内側の用紙湾曲位置（両者を合わせて当接湾曲位置と呼ぶ）に位置するときである。すなわち、側面ガイド板２１，前面止め板２３が用紙１２に当接するような動きを行っているときである。なぜならば、側面ガイド板２１，前面止め板２３が用紙１２に当接しているあるいは当接しつつあるような動きを行っているときに、天板２０が開放されると、天板２０に設置された側面ガイド板２１，前面止め板２３が積載された用紙１２の山に接触して積載用紙１２の山が崩されるからである。
【００５０】
第一の実施形態の孔版印刷機では、印刷しているときには、天板２０に設けられた側面ガイド板２１，前面止め板２３は、印刷済みで紙受台５０の上に積載された用紙１２の側端面に接離する上述したジョガー動作を繰り返す。ジョガー動作をしているときに天板２０を開放すると、積載用紙１２の山が崩されるので、印刷中に天板２０が開かないように、天板２０をロックする。
【００５１】
印刷終了後、天板２０を開放すると、天板２０に設けられた側面ガイド板２１，前面止め板２３によって積載用紙１２の山が崩されてしまうので、側面ガイド板２１，前面止め板２３は、通常、積載用紙１２の側端面より外方に離間した退避位置に自動的に移動する。この側面ガイド板２１，前面止め板２３の退避位置への移動は、側面ガイド板２１，前面止め板２３がジョガー動作を行わないように設定されているときも同様に行われる。すなわち、側面ガイド板２１，前面止め板２３は、ジョガー動作設定の有無にかかわらず、退避位置に自動的に移動される。したがって、印刷動作終了後に、側面ガイド板２１，前面止め板２３が所定の退避位置まで退避する退避動作をしているときに天板２０を開放すると、積載用紙１２の山が崩されるので、側面ガイド板２１，前面止め板２３の退避動作中に、天板２０が開かないように、天板２０をロックする。
【００５２】
通常、使用者が印刷用紙サイズを操作パネル７０上で設定すると、側面ガイド板２１，前面止め板２３は、設定した用紙サイズに応じた位置（積載用紙１２の側端面に接近する位置）に自動的に移動するように構成されている。印刷用紙サイズが定型外サイズである場合もあるので、使用者が側面ガイド板２１，前面止め板２３を任意の位置に移動させること（いわゆるマニュアル操作）ができるように構成されている。
【００５３】
印刷終了後、印刷済みの用紙１２が紙受台５０上に積載された状態で、使用者がマニュアル操作で側面ガイド板２１，前面止め板２３の位置を不用意に動かしてしまう場合がある。このとき、側面ガイド板２１，前面止め板２３が積載用紙１２の側端面から離間した退避位置から、積載用紙１２の側端面に当接する用紙当接位置あるいは用紙当接位置より内側であって用紙１２を湾曲させる用紙湾曲位置に動かされる場合がある。紙受台５０上に積載された用紙１２は、側面ガイド板２１，前面止め板２３に当接しているか又は側面ガイド板２１，前面止め板２３で湾曲した状態になる。この状態で、天板２０が誤って開かれると、側面ガイド板２１，前面止め板２３が積載用紙１２の山の側端面を擦るか積載用紙１２の山を持ち上げるために、積載用紙１２の山が崩れてしまう。したがって、側面ガイド板２１，前面止め板２３が当接湾曲位置に位置するときに、天板２０が開かないように、天板２０をロックする。
【００５４】
印刷終了後に、側面ガイド板２１，前面止め板２３が本来位置すべき退避位置より内側の当接湾曲位置に存在することが公知の検出手段（不図示）で検出されたならば、使用者に対して警告を発するとともに、当接湾曲位置に存する側面ガイド板２１，前面止め板２３が退避位置に移動するまで、天板２０をロックする。なお、上記退避位置への移動は、退避可能な外側の最大退避位置まで移動させたり、積載用紙サイズに所定移動量を加算した退避位置まで移動させたりすることができる。積載用紙サイズに所定移動量を加算した退避位置まで移動させることの方が、側面ガイド板２１，前面止め板２３の移動量が少なくて済むので、印刷動作全体のスピードアップが可能であり、製版や印刷を繰り返し行う場合に特に有効である。
【００５５】
次に、本発明に係る第二の実施形態の孔版印刷機のロック機構について、図９及び１０を参照しながら説明する。
【００５６】
図９及び１０に示すように、天板２０の側面には、案内手段としての長穴３２が設けられている。略水平方向に延在する長穴３２は、その天板回動軸２６と反対側において、長穴３２の長手方向に直交して下方に延在するロック穴５４が形成されている。ロック穴５４に対して、ソレノイド５６の駆動部材３６に接続されたロック体５２が挿通されるようにソレノイド５６が配置されている。図９及び１０に示すように、天板２０の開閉に連動した摺動部材３４が長穴３２の左端部に位置しており、天板２０が閉止状態にある。
【００５７】
図９に示すように、ロック体５２が押し下げられてロック穴５４に挿通されると、長穴３２の左端部に位置している摺動部材３４が、右方向（すなわち天板２０の開放方向）に移動することが妨げられる。したがって、摺動部材３４がロック穴５４とロック体５２との間でロックされている。
【００５８】
図１０に示すように、ロック体５２が引き上げられてロック穴５４に挿通されなくなると、長穴３２の左端部に位置している摺動部材３４が、右方向（すなわち天板２０の開放方向）に移動することが可能となる。したがって、ロック穴５４とロック体５２とによる摺動部材３４のロックが解除されている。
【００５９】
ＣＰＵ７２から発せられた、ソレノイド５６の動きを制御するソレノイド制御信号により、ソレノイド５６の駆動部材３６に接続されたロック体５２を下向き又は上向きに動かすことによって、ロック機構をロック状態又は非ロック状態に切換えることができる。
【００６０】
次に、本発明に係る第三の実施形態の孔版印刷機のロック機構について、図１１及び１２を参照しながら説明する。
【００６１】
図１１及び１２に示すように、天板２０の側面には、案内手段としての長穴３２が設けられている。円板形状のロック体５２の中心から上側に偏心した位置に円板回動軸５９が設けられている。円板回動軸５９とは、例えばギヤモータ軸である。ロック体５２は、円板回動軸５９を中心に回動する。長穴３２は、その円板回動軸５９の反対側において、長穴３２の長手方向に直交して、ロック体５２の下側の反軸部分を受け入れるロック穴５４が形成されている。ロック体５２が回動すると、反軸部分がロック穴５４に出たり入ったりする。図１１及び１２に示すように、天板２０の開閉に連動した摺動部材３４が長穴３２の左端部に位置しており、天板２０が閉止状態にある。
【００６２】
図１１に示すように、ロック体５２が下向きに回動して下側の反軸部分がロック穴５４に挿通されると、長穴３２の左端部に位置している摺動部材３４が、右方向（すなわち天板２０の開放方向）に移動することが妨げられる。したがって、摺動部材３４がロック穴５４とロック体５２との間でロックされている。
【００６３】
図１２に示すように、ロック体５２が上向きに回動して下側の反軸部分がロック穴５４より上に位置してロック穴５４に挿通されなくなると、長穴３２の左端部に位置している摺動部材３４が、右方向（すなわち天板２０の開放方向）に移動することが可能となる。したがって、ロック穴５４とロック体５２とによる摺動部材３４のロックが解除されている。
【００６４】
ＣＰＵ７２から発せられた、ロック体５２の動きを制御するロック体制御信号により、ロック体５２を回動させることによって、ロック機構をロック状態又は非ロック状態に切換えることができる。
【００６５】
次に、本発明に係る第四の実施形態の孔版印刷機のロック機構について、図１３及び１４を参照しながら説明する。
【００６６】
図１３及び１４に示すように、天板２０を回動自在に軸支する天板回動軸２６には、貫通したロック穴５４が形成されている。ロック穴５４は、天板回動軸２６の軸方向に直交するように形成されており、図１３に示すように、天板２０が閉止状態で略水平方向（左右方向）に延在するとき、略垂直方向（上下方向）に延在している。ロック穴５４に対して、ソレノイド５６の駆動部材３６に接続されたロック体５２が挿通されるようにソレノイド５６が配置されている。
【００６７】
図１３に示すように、ロック体５２が押し上げられて天板回動軸２６のロック穴５４に挿通されると、天板２０の天板回動軸２６を中心とした時計回り（すなわち天板２０の開放方向）の回動が妨げられる。したがって、天板２０の天板回動軸２６がロック穴５４とロック体５２とでロックされている。
【００６８】
図１４に示すように、ロック体５２が引き下げられてロック穴５４に挿通されなくなると、天板２０の天板回動軸２６を中心とした時計回り（すなわち天板２０の開放方向）の回動が可能となる。したがって、ロック穴５４とロック体５２とによる天板２０の天板回動軸２６のロックが解除されている。
【００６９】
ＣＰＵ７２から発せられた、ソレノイド５６の動きを制御するソレノイド制御信号により、ソレノイド５６の駆動部材３６に接続されたロック体５２を上向き又は下向きに動かすことによって、ロック機構をロック状態又は非ロック状態に切換えることができる。
【００７０】
上述した紙受装置１０において、天板２０に設けられた側面ガイド板２１，前面止め板２３は、いずれも、いわゆるジョガー動作を行っている場合について説明したが、ジョガー動作を行わずに駆動機構で所定の用紙位置に位置決めされて用紙１２の側面又は前面に当接するだけのものであってもよい。ジョガー動作の有無にかかわらず、側面ガイド板２１，前面止め板２３は、積載用紙１２の側端面から離間した退避位置に自動的に移動し、その際、天板２０はロックされる。
【００７１】
天板開閉検出センサ４２が内蔵されているので、天板開閉検出センサ４２からの信号を利用して操作パネル７０上に「天板が開いています。天板を閉めてください。」等の警告を表示させるようにすることができる。天板２０をロックすべきときに天板２０が開放されているために天板２０をロックできない状態になっていることが使用者に知らされるので、使用者がまごつくことが防止される。天板２０が、完全な閉止位置と完全な開放位置との間の中間的な位置（いわゆる、半開き位置）にある場合もある。天板２０が中間的な位置にあるとき、安全面から、天板開閉検出センサ４２は、天板２０が開放位置であると認識するように構成されている。
【００７２】
ロック機構が作動しているか否かが表示されることが好ましい。ロック機構が天板２０で隠されているために、天板２０がロックされているか否かについては、外見上からは判別しにくい。したがって、ロック機構が作動しているか否かを表示することによって、天板２０のロック状態が視覚的に分かる。操作パネル７０の中にロック状態表示部を内蔵させたり、ロック状態を表示するパネルやランプ等を紙受装置１０にあるいはその近傍に別体に設けたりすることができる。また、ロック状態表示部を操作パネル７０に内蔵させることと、別体で設置することの両方を行うようにしてもよい。
【００７３】
ところで、のし紙等の長尺用紙を印刷する場合、排出された長尺用紙が紙受台からはみ出してしまうので、長尺用紙用（ロングモード用）のアタッチメント８０が使用される。すなわち、図１５のように、長尺用紙用アタッチメント８０は、ベース板８２の上に、排紙方向と直交する用紙幅方向に関して、排出された用紙１２を位置決めする左右の側面ガイド板８１と、排紙方向前方に設けられて排出された用紙１２を受け止める前面止め板８３とが配設された構成をしており、紙受台５０の上に取り付けられている。長尺用紙用アタッチメント８０の紙受台５０の上への取付けは、孔版印刷機１の主電源がオフであるとき、又は主電源がオンであって天板２０のロック状態が解除されたときに、天板２０が開放された状態で行われる。そして、長尺用紙を印刷して排出された用紙１２をアタッチメント８０で受け取る場合、天板２０が開放された状態で行われる。
【図面の簡単な説明】
【図１】本発明の一実施形態に係る孔版印刷機の全体構成図である。
【図２】図１の孔版印刷機における紙受装置を説明する図である。
【図３】図１の孔版印刷機における紙受装置に関するブロック図である。
【図４】本発明の第一実施形態に係るロック機構がロック状態にあることを示す図である。
【図５】図４のロック機構がロック状態にあるときの要部断面図である。
【図６】図４のロック機構が非ロック状態にあることを示す図である。
【図７】図４のロック機構がロック状態にあることを詳細に説明する図である。
【図８】図４のロック機構が非ロック状態にあることを詳細に説明する図である。
【図９】本発明の第二実施形態に係るロック機構がロック状態にあることを示す図である。
【図１０】図９のロック機構が非ロック状態にあることを示す図である。
【図１１】本発明の第三実施形態に係るロック機構がロック状態にあることを示す図である。
【図１２】図１１のロック機構が非ロック状態にあることを示す図である。
【図１３】本発明の第四実施形態に係るロック機構がロック状態にあることを示す図である。
【図１４】図１３のロック機構が非ロック状態にあることを示す図である。
【図１５】長尺用紙用アタッチメントが紙受台に装着されたことを示す図である。
【符号の説明】
１    孔版印刷機
２    製版装置
４    用紙搬送装置
６    印刷装置
８    排紙装置
１０  紙受装置
１２  用紙
２０  天板
２１  側面ガイド板（側面規制板）
２２  版胴
２３  前面止め板（前面規制板）
２６  天板回動軸
２７  フレーム
３０  給紙台
３１  支持アーム（支持部材）
３２  長穴（案内部材）
３２ａ  係合凹部（ロック部材）
３３  アーム回動軸
３４  摺動部材（ロック部材）
３５  引張バネ
３６  駆動部材
３７  遮光部
３８  リンク部材（切換え手段）
３９  リンク部材回動軸
４０  給紙装置
４１  上限スイッチ
４２  天板開閉検出センサ
４３  レベルセンサ
４４  紙受台駆動モータ
４５  スプロケット
４６  チェーン
４７  スプロケット
４８  バネ
４９  下限スイッチ
５０  紙受台
５２  ロック体
５４  ロック穴（ロック部材）
５６  ソレノイド（切換え手段）
５９  円板回動軸
６２  フォトセンサ（ロック検出センサ）
７０  操作パネル
７２  ＣＰＵ
７３  Ｉ／Ｏポート
７４  ＲＯＭ
７５  ＲＡＭ
７６  ＥＰＲＯＭ
８０  長尺用紙用アタッチメント
８１  側面ガイド板
８２  ベース板
８３  前面止め板
９０  排紙方向
Ｍ    モータ
【図１】
2004210435.tif 000003
【図２】
2004210435.tif 000004
【図３】
2004210435.tif 000005
【図４】
2004210435.tif 000006
【図５】
2004210435.tif 000007
【図６】
2004210435.tif 000008
【図７】
2004210435.tif 000009
【図８】
2004210435.tif 000010
【図９】
2004210435.tif 000011
【図１０】
2004210435.tif 000012
【図１１】
2004210435.tif 000013
【図１２】
2004210435.tif 000014
【図１３】
2004210435.tif 000015
【図１４】
2004210435.tif 000016
【図１５】
2004210435.tif 000017